(57)【要約】【課題】従来技術では、同時表示させる画像の個数によって得られる画質については考慮されていないので、表示させる個数によっては、ユーザの求めている画質に満たない画像が表示されてしまう事がある。【解決手段】画像を画像表示機器に転送する手段を有し、大画面の表示機器に複数の縮小画像を表示するとき、画質を考慮する為に複数の画像表示方法の中から、各画像の画質を考慮して適切な画像表示方法を自動選択する。また、複数の画像表示方法を自動選択する基準に縮小率の大きさで制御するのではなく、１つの画像表示範囲に含まれる画素の多さや表示される画像の個数によって判断する。【選択図】  図１
2014052449.tif 000002
【特許請求の範囲】
【請求項１】
画像を外部の表示機器に出力する出力手段を有する画像処理装置であって、
前記表示装置の能力を取得する取得手段と、
前記取得手段で取得した前記表示装置の能力に基づき、予め決められた表示サイズで複数の画像を表示した場合の表示可能な画像数の画像が、あらかじめ決められた画像数より大きいか否かを判断する第１判断手段と、
前記第１判断手段で予め決められた画像数よりも大きいと判断した場合、前記あらかじめ決められた表示サイズで画像を表示した場合の画像の画素数が予め決められた画素数よりも多いか否かを判断する第２判断手段と、
第２判断手段であらかじめ決められた画素数よりも多いと判断した場合には、前記予め決められた表示サイズで複数の画像を表示する第１の表示方法で画像を表示させ、前記第１の判断手段であらかじめ決められた画像数より大きくないと判断した場合、および、前記第２判断手段であらかじめ決められた画素数よりも多くないと判断した場合は、１つの画像を表示する画素数を基準に複数の画像を表示する第２の表示方法で画像を表示させる制御手段とを有することを特徴とする画像処理装置。
【発明の詳細な説明】
【技術分野】
【０００１】
本発明は、画像表示機器に画像を出力する電子機器に関して、特に画質を考慮しながら、画像表示機器に最適な個数の縮小画像を同時表示させる画像出力装置である。
【背景技術】
【０００２】
電子カメラは撮像レンズを透過した光束を撮像素子で電気信号に変換し、更に撮像回路でデジタル画像信号に変換した後に、ＪＰＥＧなどの圧縮技術により圧縮してメモリに記憶する。また、このような電子カメラにおいて、画像表示機器に複数の縮小画像を同時表示する事が可能な電子カメラが存在する。これは縮小画像を表示する為の小さい画像をあらかじめ保存しておき、それを読み出し、高速に同時表示を実現している。
【０００３】
近年、このような電子カメラでは、ＴＶなどの画像表示機器につなぐことで画像が画像表示機器に表示される。そうすることによって、ユーザは大画面で画像を鑑賞することができるというメリットがある。
【０００４】
しかし、従来の電子カメラの出力方法では、画像表示機器のパネルのサイズが大きいのに、同時表示画像数が少なくなってしまう場合や、元の画像の解像度よりも多くの解像度を使って表示しなければならない時に画質が低下してしまうという場合など、画像表示機器のサイズにあった個数の画像が表示できなく、画像表示機器の画面を有効に使えていないという問題があった。
【０００５】
例えば、特許文献１では、画像表示機器のパネルの解像度と電子カメラのＶＲＡＭの解像度を比較し、それが一致しない場合に、電子カメラのＶＲＡＭの解像度を画像表示機器のパネルの解像度に合うように合わせ込みを行い、画像表示機器のパネルの解像度を判断するテーブルが読みだされ、縮小画像の枚数、大きさを決定し、表示を行う。
【０００６】
また、特許文献２では、複数の画像を同時に縮小表示する電子カメラにおいて、画像表示機器のパネルに繋いだ時の選択操作に応じて各画像の縮小表示サイズを設定するサイズ設定手段と、このサイズ設定手段により設定された縮小表示サイズに応じて、画像表示機器の画面（サイズやアスペクト比等）に適した同時表示画像数を決定する画像数決定手段を設けることによって、その範囲内で自由な形態で画像表示機器に画像を表示できるようにするものも存在する。
【先行技術文献】
【特許文献】
【０００７】
【特許文献１】特開２００９−４４４９１号公報
【特許文献２】特開平１１−２１２７５５号公報
【発明の概要】
【発明が解決しようとする課題】
【０００８】
しかしながら、上述の特許文献に開示された従来技術では、同時表示させる画像の個数によって得られる画質については考慮されていないので、表示させる個数によっては、ユーザの求めている画質に満たない画像が表示されてしまう事がある。
【０００９】
そこで、本発明の目的はそれぞれの画像の画質も考慮しながら、多くの画像を画像表示機器に同時に表示する事を可能にした電子カメラを提供することである。
【課題を解決するための手段】
【００１０】
上記目的を達成するための本発明に係る画像処理装置の構成は、表示装置の能力を取得する取得手段と、取得手段で取得した表示装置の能力に基づき、予め決められた表示サイズで複数の画像を表示した場合の表示可能な画像数の画像が、あらかじめ決められた画像数より大きいか否かを判断する第１判断手段と、第１判断手段で予め決められた画像数よりも大きいと判断した場合、あらかじめ決められた表示サイズで画像を表示した場合の画像の画素数が予め決められた画素数よりも高画素であるかを判断する第２判断手段と、第２判断手段であらかじめ決められた画素数よりも高画素であると判断した場合には、予め決められた表示サイズで複数の画像を表示する第１の表示方法で画像を表示させ、第１の判断手段であらかじめ決められた画像数より大きくないと判断した場合、および、第２判断手段であらかじめ決められた画素数よりも高画素でないと判断した場合は、１つの画像を表示する画素数を基準に複数の画像を表示する第２の表示方法で画像を表示させる制御手段とを有することを特徴とする。
【発明の効果】
【００１１】
本発明によれば、画質を考慮しながら、画像表示機器のサイズにあった個数の画像を表示させるような画像処理装置を提供できる。
【図面の簡単な説明】
【００１２】
【図１】本発明を実施した時の外から見たイメージ図である。
【図２】実施の形態を説明する撮像装置の最適な同時縮小画像の個数決定ルーチンの判定をする全体フローチャートである。
【図３】実施の形態を説明する撮像装置の同時縮小画像の個数の遷移を表した図である。
【図４】実施の形態を説明する撮像装置のブロック図である。
【図５】解像度が低い大画面の画像表示機器に表示を試みた時の想定される図である。
【図６】解像度が高い小画面の画像表示機器に表示を試みた時に想定される図である。
【発明を実施するための形態】
【００１３】
以下に、本発明の好ましい実施の形態を、添付の図面に基づいて詳細に説明する。図４は、本発明の実施形態にかかわるブロック図である。
【実施例】
【００１４】
以下、本発明の好適な一実施形態について、図面を参照して詳細に説明する。
【００１５】
図４は、本発明の一実施形態における画像処理機能を有する撮像装置の構成を示すブロック図である。本実施形態においては、撮像装置としてレンズ交換可能な一眼レフタイプのデジタルスチルカメラを例に挙げて説明する。
【００１６】
図２に示すように、本実施形態の撮像装置は、主にカメラ本体１００と、交換レンズタイプのレンズユニット３００とを備えて構成されている。
【００１７】
レンズユニット３００において、３１０は複数のレンズから成る撮像レンズ、３１２は絞り、３０６はレンズユニット３００をカメラ本体１００と機械的に結合するレンズマウントである。レンズマウント３０６内には、レンズユニット３００をカメラ本体１００と電気的に接続する各種機能が含まれている。３２０は、レンズマウント３０６において、レンズユニット３００をカメラ本体１００と接続するためのインターフェース、３２２はレンズユニット３００を
カメラ本体１００と電気的に接続するコネクタである。
【００１８】
コネクタ３２２は、カメラ本体１００とレンズユニット３００との間で制御信号、状態信号、データ信号などを伝え合うと共に、各種電圧の電流を供給される機能も備えている。また、コネクタ３２２は電気通信のみならず、光通信、音声通信などを用いて通信を行う構成としてもよい。３４０は、測光制御部４６からの測光情報に基づいて、後述するカメラ本体１００のシッター１２を制御するシャッター制御部４０と連携しながら、絞り３１２を制御する絞り制御部である。３４２は撮像レンズ３１０のフォーカシングを制御するフォーカス制御部、３４４は撮像レンズ３１０のズーミングを制御するズーム制御部である。
【００１９】
３５０はレンズユニット３００全体を制御するレンズシステム制御回路である。レンズシステム制御回路３５０は、動作用の定数、変数、プログラムなどを記憶するメモリを備えている。更に、レンズユニット３００固有の番号などの識別情報、管理情報、開放絞り値や最小絞り値、焦点距離などの機能情報、現在や過去の各設定値などを保持する不揮発性メモリも備えている。
【００２０】
次に、カメラ本体１００の構成について説明する。
【００２１】
１０６はカメラ本体１００とレンズユニット３００を機械的に結合するレンズマウント、１３０，１３２はミラーで、撮像レンズ３１０に入射した光線を一眼レフ方式によって光学ファインダー１０４に導く。なお、ミラー１３０はクイックリターンミラーの構成としても、ハーフミラーの構成としても、どちらでも構わない。１２はフォーカルプレーン式のシャッター、１４はＣＣＤ、ＣＭＯＳセンサ等からなり、被写体像を光電変換する撮像素子である。撮像素子１４の前方には、光学ローパスフィルター等の光学素子１４ａが配置されている。
【００２２】
撮像レンズ３１０に入射した光線は、一眼レフ方式によって光量制限手段である絞り３１２、レンズマウント３０６及び１０６、ミラー１３０、シャッター１２を介して導かれ、光学像として撮像素子１４上に結像される。
【００２３】
１６は、撮像素子１４から出力されるアナログ信号（出力信号）をデジタル信号に変換するＡ／Ｄ変換器である。１８は撮像素子１４、Ａ／Ｄ変換器１６、Ｄ／Ａ変換器２６にそれぞれクロック信号や制御信号を供給するタイミング発生回路であり、メモリ制御回路２２及びシステム制御回路５０により制御される。
【００２４】
２０は画像処理回路であり、Ａ／Ｄ変換器１６からのデータ或いはメモリ制御回路２２からのデータに対して所定の画素補間処理や色変換処理を行う。また、画像処理回路２０は、必要に応じて、Ａ／Ｄ変換器１６から出力される画像データを用いて所定の演算処理を行う。得られた演算結果に基づいてシステム制御回路５０がシャッター制御部４０、焦点調節部４２を制御するための、コントラスト方式のオートフォーカス（ＡＦ）処理、自動露出（ＡＥ）処理、フラッシュプリ発光（ＥＦ）処理を行うことができる。さらに、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００２５】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
【００２６】
２４は画像表示メモリ、２６はＤ／Ａ変換器、２８はＴＦＴ方式のＬＣＤ等から成る画像表示部であり、画像表示メモリ２４に書き込まれた表示用の画像データはＤ／Ａ変換器２６を介して画像表示部２８により表示される。画像表示部２８を用いて、撮像した画像データを逐次表示することで、電子ビューファインダー（ＥＶＦ）機能を実現することができる。また、画像表示部２８は、システム制御回路５０の指示により任意に表示をＯＮ／ＯＦＦすることが可能であり、表示をＯＦＦにした場合にはカメラ本体１００の電力消費を大幅に低減することができる。
【００２７】
３０は撮影した静止画像あるいは動画像を格納するためのメモリであり、所定枚数の静止画像あるいは所定量の動画像を格納するのに十分な記憶容量を備えている。これにより、複数枚の静止画像を連続して撮影する連写撮影やパノラマ撮影の場合にも、高速かつ大量の画像書き込みをメモリ３０に対して行うことが可能となる。また、動画撮影時には、所定レートで連続的に書き込まれる画像のフレームバッファとして使用される。さらに、メモリ３０はシステム制御回路５０の作業領域としても使用することが可能である。
【００２８】
３１は複数の画像を合成して１枚の合成写真を作成する画像合成回路である。メモリ３０に書き込まれている画像データを複数同時に読み込み、回路内で合成処理を実施し、作成された合成画像データはメモリ３０に書き込まれる。合成回路としては、Ａ／Ｄ変換器１６によって変換されてメモリ制御回路２２によって書き込まれた画像データや、画像処理回路２０によって画像処理された画像データを合成する回路となる。
【００２９】
３２は公知の圧縮方法を用いて画像データを圧縮・伸長する圧縮・伸長回路である。圧縮・伸長回路３２は、メモリ３０に格納された画像を読み込んで圧縮処理或いは伸長処理を行い、処理を終えたデータを再びメモリ３０に書き込む。また、動画像データを所定のフォーマットに圧縮符号化し、又は所定の圧縮符号化データから動画像信号を伸張する機能も有する。
【００３０】
４０はシャッター制御部であり、測光制御部４６からの測光情報に基づいて絞り３１２を制御する絞り制御部３４０と連携しながらシャッター１２を制御する。４２はＡＦ（オートフォーカス）処理を行うための焦点調節部である。レンズユニット３００内の撮像レンズ３１０に入射した光線を絞り３１２、レンズマウント３０６，１０６、ミラー１３０及び焦点調節用サブミラー（不図示）を介して一眼レフ方式で入射させることにより、光学像として結像された画像の合焦状態を測定する。
【００３１】
４６はＡＥ（自動露出）処理を行うための測光制御部である。レンズユニット３００内の撮像レンズ３１０に入射した光線を、絞り３１２、レンズマウント３０６，１０６、ミラー１３０及び測光用サブミラー（図示せず）を介して一眼レフ方式で入射させることにより、光学像として結像された画像の露出状態を測定する。
【００３２】
また、焦点調節部４２による測定結果と、Ａ／Ｄ変換器１６からの画像データを画像処理回路２０によって演算した演算結果とを用いて、ＡＦ制御を行うようにしてもよい。さらに、測光制御部４６による測定結果と、Ａ／Ｄ変換器１６からの画像データを画像処理回路２０によって演算した演算結果とを用いて露出制御を行うようにしてもよい。
【００３３】
５０はカメラ本体１００全体を制御するシステム制御回路であり、周知のＣＰＵなどを内蔵する。５２はシステム制御回路５０の動作用の定数、変数、プログラム等を記憶するメモリである。
【００３４】
５４はシステム制御回路５０でのプログラムの実行に応じて、文字、画像、音声などを用いて動作状態やメッセージなどを外部に通知するための通知部である。通知部５４としては、例えばＬＣＤやＬＥＤなどによる視覚的な表示を行う表示部や音声による通知を行う発音素子などが用いられるが、通知部５４はこれらのうち１つ以上の組み合わせにより構成される。特に、表示部の場合には、カメラ本体１００の操作部７０近辺の、視認しやすい、単数あるいは複数箇所に設置される。また、通知部５４は、その一部の機能が光学ファインダー１０４内に設置されている。
【００３５】
通知部５４の表示内容の内、ＬＣＤなどの画像表示部２８に表示するものとしては以下のものがある。まず、単写／連写撮影表示、セルフタイマー表示等、撮影モードに関する表示がある。また、圧縮率表示、記録画素数表示、記録枚数表示、残撮影可能枚数表示等の記録に関する表示がある。また、シャッター速度表示、絞り値表示、露出補正表示、調光補正表示、外部フラッシュ発光量表示、赤目緩和表示等の撮影条件に関する表示がある。その他に、マクロ撮影表示、ブザー設定表示、電池残量表示、エラー表示、複数桁の数字による情報表示、記録媒体２００の着脱状態表示がある。更に、レンズユニット３００の着脱状態表示、通信Ｉ／Ｆ動作表示、日付・時刻表示、外部コンピュータとの接続状態を示す表示等も行われる。
【００３６】
また、通知部５４の表示内容のうち、光学ファインダー１０４内に表示するものとしては、例えば、以下のものがある。合焦表示、撮影準備完了表示、手振れ警告表示、フラッシュ充電表示、フラッシュ充電完了表示、シャッター速度表示、絞り値表示、露出補正表示、記録媒体書き込み動作表示等である。
【００３７】
５６は後述するプログラムなどが格納された電気的に消去・記録可能な不揮発性メモリであり、例えばＥＥＰＲＯＭ等が用いられる。
【００３８】
５８は光学情報格納メモリであり、レンズユニット３００からコネクタ１２２を介して得られる、後述する各種レンズ情報を記憶する。
【００３９】
６０，６２，６４，７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４０】
ここで、これらの操作手段の具体的な説明を行う。
【００４１】
６０はモードダイアルスイッチで、自動撮影モード、プログラム撮影モード、シャッター速度優先撮影モード、絞り優先撮影モード、マニュアル撮影モード、焦点深度優先（デプス）撮影モード等の各機能撮影モードを切り替え設定することができる。他に、ポートレート撮影モード、風景撮影モード、接写撮影モード、スポーツ撮影モード、夜景撮影モード、パノラマ撮影モードなどの各機能撮影モードを切り替え設定することもできる。
【００４２】
６２はシャッタースイッチＳＷ１で、不図示のシャッターボタンの操作途中（例えば半押し）でＯＮとなり、ＡＦ処理、ＡＥ処理、ＡＷＢ処理、ＥＦ処理等の動作開始を指示する。
【００４３】
６４はシャッタースイッチＳＷ２で、不図示のシャッターボタンの操作完了（例えば全押し）でＯＮとなり、露光処理、現像処理、及び記録処理からなる一連の処理の動作開始を指示する。まず、露光処理では、撮像素子１４から読み出した信号をＡ／Ｄ変換器１６、メモリ制御回路２２を介してメモリ３０に書き込み、更に、画像処理回路２０やメモリ制御回路２２での演算を用いた現像処理が行われる。更に、記録処理では、メモリ３０から画像データを読み出し、圧縮・伸張回路３２で圧縮を行い、記録媒体２００に書き込む。
【００４４】
７０は各種ボタンやタッチパネルなどから成る操作部である。一例として、ライブビュー開始／停止ボタン、動画記録開始／停止ボタン、メニューボタン、セットボタン、マルチ画面再生改ページボタン、フラッシュ設定ボタン、単写／連写／セルフタイマー切り替えボタン、メニュー移動＋（プラス）ボタン、メニュー移動−（マイナス）ボタンを含む。更に、再生画像移動＋（プラス）ボタン、再生画像移動−（マイナス）ボタン、撮影画質選択ボタン、露出補正ボタン、調光補正ボタン、外部フラッシュ発光量設定ボタン、日付／時間設定ボタンなども含む。なお、上記プラスボタン及びマイナスボタンの各機能は、回転ダイアルスイッチを備えることによって、より軽快に数値や機能を選択することが可能となる。
【００４５】
７７は外部機器と通信するためのＵＳＢ端子であり、ＵＳＢケーブルを介して外部機器と接続することができる。本実施例に置いては、このＵＳＢを用いて外部の表示装置と接続し、外部の表示装置に複数の画像を表示させる。なお、通信インタフェースの種類としてはＵＳＢに限らずＨＤＭＩやディスプレイポート等の他の種類の通信インタフェースでも良い。また有線接続にも限らず、無線による通信で外部機器に画像を表示させるものでも良い。
【００４６】
また、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチがある。また、ＪＰＥＧ圧縮の圧縮率を選択するため、あるいは撮像素子の信号をそのままデジタル化して記録媒体に記録するＲＡＷモードを選択するためのスイッチである圧縮モードスイッチがある。また、ワンショットＡＦモードとサーボＡＦモードとを設定可能なＡＦモード設定スイッチなどがある。ワンショットＡＦモードでは、シャッタースイッチＳＷ１（６２）を押した際にオートフォーカス動作を開始し、一旦合焦した場合、その合焦状態を保ち続ける。サーボＡＦモードでは、シャッタースイッチＳＷ１（６２）を押している間、連続してオートフォーカス動作を続ける。
【００４７】
８０は電源制御部で、電池検出回路、ＤＣ−ＤＣコンバータ、通電するブロックを切り替えるスイッチ回路等により構成されている。電源制御部８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４８】
８２，８４はコネクタ、８６はアルカリ電池やリチウム電池等の一次電池、ＮｉＣｄ電池やＮｉＭＨ電池、Ｌｉ‐ｉｏｎ電池、Ｌｉポリマー電池等の二次電池、ＡＣアダプター等からなる電源部である。
【００４９】
９０はメモリカードやハードディスク等の記録媒体やＰＣとのインターフェース、９２はメモリカードやハードディスク等の記録媒体やＰＣと接続を行うコネクタである。９８はコネクタ９２に記録媒体２００が装着されているか否かを検知する記録媒体着脱検知回路である。
【００５０】
インターフェース及びコネクタとしては、種々の記憶媒体の規格に準拠したものを用いて構成することが可能である。例えば、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カードやＣＦ（コンパクトフラッシュ（登録商標））カード、ＳＤカード等である。インターフェース９０、そしてコネクタ９２をＰＣＭＣＩＡカードやＣＦカード等の規格に準拠したものを用いて構成した場合、各種通信カードを接続することができる。通信カードとしては、ＬＡＮカードやモデムカード、ＵＳＢ（Ｕｎｉｖｅｒｓａｌ  Ｓｅｒｉａｌ  Ｂｕｓ）カード、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４カードがある。他にも、Ｐ１２８４カード、ＳＣＳＩ（Ｓｍａｌｌ  Ｃｏｍｐｕｔｅｒ  Ｓｙｓｔｅｍ  Ｉｎｔｅｒｆａｃｅ）カード、ＰＨＳ等がある。これら各種通信カードを接続することにより、他のコンピュータやプリンタ等の周辺機器との間で画像データや画像データに付属した管理情報を転送し合うことができる。
【００５１】
１０４は光学ファインダーであり、撮像レンズ３１０に入射した光線を、一眼レフ方式によって、絞り３１２、レンズマウント３０６，１０６、ミラー１３０，１３２を介して導き、光学像として結像させて表示することができる。これにより、画像表示部２８による電子ファインダー機能を使用すること無しに、光学ファインダーのみを用いて撮影を行うことが可能である。また、光学ファインダー１０４内には、通知部５４の一部の機能、例えば、合焦状態、手振れ警告、フラッシュ充電、シャッター速度、絞り値、露出補正などが表示される。
【００５２】
１２０はレンズマウント１０６内でカメラ本体１００をレンズユニット３００と接続するためのインターフェースである。
【００５３】
１２２はカメラ本体１００をレンズユニット３００と電気的に接続するコネクタである。また、レンズマウント１０６及びコネクタ１２２にレンズユニット３００が装着されているか否かは、不図示のレンズ着脱検知部により検知される。コネクタ１２２はカメラ本体１００とレンズユニット３００との間で制御信号、状態信号、データ信号などを伝え合うと共に、各種電圧の電流を供給する機能も備えている。
【００５４】
また、コネクタ１２２は電気通信だけでなく、光通信、音声通信により通信を行う構成としてもよい。
【００５５】
２００はメモリカードやハードディスク等の記録媒体である。この記録媒体２００は、半導体メモリや磁気ディスク等から構成される記録部２０２、カメラ本体１００とのインターフェース２０４、カメラ本体１００と接続を行うコネクタ２０６を備えている。
【００５６】
記録媒体２００としては、ＰＣＭＣＩＡカードやコンパクトフラッシュ（登録商標）等のメモリカード、ハードディスク等を用いることができる。また、マイクロＤＡＴ、光磁気ディスク、ＣＤ−ＲやＣＤ−ＲＷ等の光ディスク、ＤＶＤ等の相変化型光ディスク等で構成されていても勿論構わない。
【００５７】
上記構成を有する撮像装置において、同時縮小画像表示方法について説明する。基本的な方法として表示用縮小画像を記録媒体（２００）から読み出し、そこから画像処理（２０）により表示に必要な解像度と実際の表示用画像の解像度（例えばＤＣＦサムネイル（１６０＊１２０ｐｉｘｅｌ））を比べて、間引き処理や拡大処理を行い、表示をしている。またＴＶなどの画像表示機器に表示する場合にも同じようなステップを踏むが、実際に各処理が終わって表示する時に、接続ケーブルを介して画像表示機器にデータを転送する必要がある。
【００５８】
ここで、１つの画像を表示するのに必要な解像度を求めるには、表示させる予定の縮小画像の個数を決定する必要がある。ここでは、２つの同時縮小画像数の決定方法について言及する。
【００５９】
まず、１つ目は画像表示機器の画素数に基づくパネルの解像度を用いての同時縮小画像数の決定方法である。これを本発明では、解像度ベースと名付けることにする。これは、１つの画像の表示解像度をあらかじめ決めておき、それをベースに画像表示機器のパネルに表示できる個数を求める方法である。これによって、どのような画像表示機器になっても、パネルの解像度が変わらなければ、画像の表示個数は変わらないという事、つまりある一定の画像個数の表示を保証できるというが可能になる。しかし、逆にとらえると、例えば解像度が同じでパネルの大きさが５０インチの画像表示機器にも２０インチの画像表示機器にも１画素の大きさが変わるだけで、結局同じ個数の画像が表示され、画像表示機器の大画面を生かせないという問題もそれによって生じる。図６では、この解像度ベースを適用した時の問題の１例を図に表したものである。これは、解像度が高い小画面の画像表示機器に表示を試みた時に想定される図である。
【００６０】
次に、２つめは画像表示機器のパネルの大きさを用いての同時縮小画像数の決定方法である。これを本発明では、大きさベースと名付けることとする。これは、１つの画像の画像表示機器のパネル内での物理的なサイズをあらかじめ決めておき、パネルの情報から画像表示機器のパネルの縦横の長さを求め、表示できる個数を求める方法である。これは、１つの画像の物理的な大きさを画像表示機器のパネルの大きさで割るとある一定の比率が算出される。その算出された比率を画像表示機器のパネルの解像度に掛け合わせれば、１つの画像に割当たる解像度が決定する。この方法によって、画像表示機器のパネルの大きさによって、適切な大きさの画像を表示させることができるという利点がある。しかし、この利点を逆にとらえると画像表示機器のパネルが大きく、解像度がＳＤ画質という画像表示機器に表示を試みた時、１つの画像に割り当てられる画素数が少ない為画像が粗くなる場合がある、またパネルの大きさが小さい画像表示機器では、この大きさベースで考えてしまうと、表示できる画像数が少なくなりすぎてしまうという問題が生じる。図５では、この大きさベースを適用した時の問題の１例を図に表したものである。これは、解像度が低い大画面の画像表示機器に表示を試みた時に想定される図である。
【００６１】
今まで、２つの同時縮小画像数の決定方法について説明したが、それぞれに利点、問題があるので、どちらか１つの方法のみをどの状況下でも使ってしまうと、その方法の問題の状況の時にユーザに不利益になってしまう。そこで、どちらかの方法を選択した場合、問題のある表示が出力されると想定される状況の時には、もう一つの方法を利用する事によって、その問題のある表示を回避する事が可能になる。
【００６２】
その２つの同時縮小画像数の決定方法のどちらを使うかを判断する判定フローチャート図２について説明する。
【００６３】
基本的な考え方として、表示個数決定方法は大きさベースを選択する。そして、大きさベースでの表示に問題が現れそうな時に、表示個数を保証する解像度ベースに変更するという手順である。大きさベースの問題として、（１）画像表示機器のパネルが小さい時に表示できる個数が限られる、（２）画像表示機器が大きすぎる時に１つの画像に割当たる画素が少なすぎるので、画像としての見えが低下してしまうという２つがあり、それを回避できれば、多くの画質を考慮した多くの画像を表示する事が可能になる。
【００６４】
まず、画像表示機器が接続されたかどうかを判定する（Ｓ２００）。その次に接続後に得られた情報から画像表示機器のパネルの情報を取得する（Ｓ２０１）。もし、十分な情報が得られなければ、個別に情報を求めるなど、限られた情報から、計算して求めるのもよい。次に、パネルが高解像度かどうかを判定する（Ｓ２０２）。具体的には、ＦＵＬＬＨＤが望ましいが、ＨＤでもよい。ただし、ＨＤの場合はＦＵＬＬＨＤで使っているいき値の例とは別のいき値を使う事になる。パネルがそれ以外の解像度を持つ場合、解像度ベースを適用して、その解像度にあった画像数を表示する（Ｓ２０８）。将来は４Ｋ２Ｋなどのより大きなパネルによるさらに異なる閾値も考えられる。
【００６５】
以上の工程を進んだら、大きさベースの１つ目の問題の回避が必要か判定する。まず、表示機器のパネルにいくつの画像数が表示可能かという事を求める（Ｓ２０３）。例えば、本明細書では５＊３ｃｍの画像がいくつ表示できるか？ということである。５＊３ｃｍの画像というのは、離れて見ても実使用に耐えられる大きさの例である。
【００６６】
次にそこで得た値が、２０以上つまり、２０コマ以上表示できるかを判断する（Ｓ２０４）。２０コマというのは、画像表示機器の大画面を生かす為に必要なコマ数の例である。
【００６７】
ここの部分はユーザの選択部分にしてもよい。この条件に当てはまらなければ、解像度ベースを選択する（Ｓ２０８）。もし、この条件に当てはまれば、次のステップ、大きさベースの２つ目の問題回避が必要か判定する。
【００６８】
次に２つ目の問題の回避方法として、１つの画像に割当たる画素は十分か？という判断基準を設ける（Ｓ２０５）。これはあまりにも１つの画像に割当たる画素数が少ない場合に画像が粗くなってしまうという問題がある。十分な画素というのは、例えば８０＊６０ｐｉｘｅｌ〜３２０＊２４０ｐｉｘｅｌの画素の間である。これは１６０＊１２０ｐｉｘｅｌというＤＣＦサムネイル画像の画素数からの見えを考慮した例である。ここの間に入っていれば、初めて大きさベースで画像表示（Ｓ２０６）を行うことができる。ここの間に入っていなければ解像度ベースで画像表示機器に表示を行う（Ｓ２０７）。
上記判定ルーチンにより表示方法を決定すれば、画質を考慮した多くの枚数の画像を画像表示機器上に同時表示できるようになる。
【００６９】
この様な処理によれば、取得した表示装置の能力に基づき、予め決められた表示サイズで複数の画像を表示した場合の表示可能な画像数の画像が、あらかじめ決められた画像数より大きいか否かを判断する。
【００７０】
そして、予め決められた画像数よりも大きいと判断した場合、あらかじめ決められた表示サイズで画像を表示した場合の画像の画素数が予め決められた画素数よりも多いか否かを判断する。
【００７１】
そして、あらかじめ決められた画素数よりも多いと判断した場合には、予め決められた表示サイズで複数の画像を表示する第１の表示方法で画像を表示させ、予め決められた画像数より大きくないと判断した場合、および、予め決められた画素数よりも多くないと判断した場合は、１つの画像を表示する画素数を基準に複数の画像を表示する第２の表示方法で画像を表示させることが出来る。
【００７２】
最後のまとめとして、本発明による画像の個数の変化をグラフにした図３について説明する。この図はＸ軸が画像表示機器のパネルの大きさの推移を表していて、Ｙ軸が表示個数の推移を表している。
【００７３】
基本的な考え方は、上記のフローチャート説明でも明記したが、大きな判断基準として２つある。１つ目が画像表示数を満たしているか、２つ目が一画像の表示画素数が適切か、という点である。この２つの判断基準を満たしていれば、大きさベースを選択するので画像表示機器のパネルが大きくなるにつれて、同時表示画像数は増えていく。これは、Ｓ３００とＳ３０１の間の右肩上がりの直線により表わされている。その右肩上がりの直線の間にある２４０＊１８０ｐｉｘｅｌや１６０＊１２０ｐｉｘｅｌのような場合もその場所に対応した個数の画像を表示する。
【００７４】
判断基準を満たしていない場合、解像度ベースを選択するので、画像数を一定にする為、図としては両端の水平線になる。もし、１つの画像領域に割当たる画素数が少ない場合、Ｓ３００の右側と表わされる。逆に、１つの画像領域に割当たる画素数が多い場合Ｓ３０１の左側の水平線に表される。
【００７５】
以上、本発明の好ましい実施形態について説明したが、本発明はこれらの実施形態に限定されず、その要旨の範囲内で種々の変形及び変更が可能になる。
【符号の説明】
【００７６】
１０：撮影レンズ  １２：シャッター  １４：撮像素子  １６：Ａ／Ｄ変換器  １８：タイミング発生回路  ２０：画像処理回路  ２２：メモリ制御回路  ２４：画像表示メモリ  ２６：Ｄ／Ａ変換器  ２８：画像表示部  ３０：メモリ  ３１：画像合成回路  ３２：画像圧縮・伸長回路
４０：露光制御手段  ４２：測距制御手段  ４６：測光制御手段  
５０：システム制御回路  ５２：メモリ  ５４：表示部  ５６：不揮発性メモリ
６０：モードダイアルスイッチ  ６２：シャッタースイッチＳＷ１  ６４：シャッタースイッチＳＷ２    ７０：操作部
８０：電源制御手段  ８２：コネクタ  ８４：コネクタ９０：インターフェース  ９２：コネクタ  ９４：インターフェース  ９６：コネクタ  ９８：記録媒体着脱検知手段
１００：画像処理装置  １０２：保護手段  １０４：光学ファインダー
２００：記録媒体  ２０２：記録部  ２０４：インターフェース  ２０６：コネクタ
３００：レンズユニット  ３０６：レンズマウント  ３１０：撮像レンズ  ３１２：絞り
３２０：インターフェース  ３２２：コネクタ  ３４０：絞り制御部  ３４２：フォーカス制御部
３４４：ズーム制御部  ３５０：レンズシステム制御回路  
【図１】
2014052449.tif 000003
【図２】
2014052449.tif 000004
【図３】
2014052449.tif 000005
【図４】
2014052449.tif 000006
【図５】
2014052449.tif 000007
【図６】
2014052449.tif 000008